(57)【要約】【課題】  メール端末７から遠隔地にあるファイル送信元端末１に対してコマンド付きのメールを送信することにより、指定した１つ以上のファイルをメールにて取得できるようにする。メールを通信手段とするため、遠隔地のファイル送信元端末１側にグローバルＩＰアドレスを必要とせず、また、メール設定外の特殊な通信設定が不要なため、導入が容易なシステムを構築できる。【解決手段】  メールと遠隔地にあるファイル送信元端末１の動作を関連付け、その関連付け情報３を記憶装置２に格納する。ファイル送信元端末１は一定周期でメールサーバ８に対してメールの取得を行う。受信したメール情報に基づいて関連付け情報３を参照し、ファイル一覧またはメール内で指定された１つ以上のファイルをメールの送信元であるメール端末７に返信する。【選択図】    図１
2005251144.tif 000002
【特許請求の範囲】
【請求項１】
メール端末（携帯端末含む）から送信されたコマンド付きのメールを受信し、メールに含まれるコマンドを解析し、コマンドに関連付けられた動作を契機として、メール内で指定された１つ以上のファイルまたは１つ以上のディレクトリを、利用者にメールにて送信する事を特徴とするファイル転送システム。
【請求項２】
請求項１と同様のシステムにおいて、ファイル送信元端末内のファイル一覧またはディレクトリ一覧を利用者にメールにて送信する事を特徴とするファイル転送システム。
【請求項３】
請求項１、２と同様のシステムにおいて、１つ以上のファイルまたは１つ以上のディレクトリを圧縮して利用者にメールにて送信する事を特徴とするファイル転送システム。
【請求項４】
請求項１〜３と同様のシステムにおいて、ディレクトリ構造を圧縮して利用者にメールにて送信する事を特徴とするファイル転送システム。
【請求項５】
請求項１〜４と同様のシステムにおいて、メールの送信先はコマンド付きのメールを送信した利用者のみならず、コマンド付きのメール内に指定されているメールアドレスに対しても送信できる事を特徴とするファイル転送システム。
【発明の詳細な説明】
【技術分野】
【０００１】本発明は、遠隔地にあるシステム装置に対して、コマンド付きのメールにてファイルの取得要求を行い、１つ以上のファイルまたは１つ以上のディレクトリをメールにて取得するファイル転送システムに関するものである。
【背景技術】
【０００２】従来、ファイルをインターネット経由で取得するにはＦＴＰを使用する。ＦＴＰサーバにアクセスして自端末にファイルをダウンロードするソフトウェアも存在する。
【発明の開示】
【発明が解決しようとする課題】
【０００３】従来のＦＴＰサーバを用いる方法においては、ＦＴＰサーバにグローバルＩＰを割り当て、運用する必要がある。しかし、グローバルＩＰアドレスの運用は技術的に難易度が高く、ＦＴＰサーバ自体の運用も同様である。また、指定ファイルを他のコンピュータにダウンロードさせることは不可能であった。【０００４】上記の問題を解決し、本発明においては、グローバルＩＰを必要とせず、一般的に使用されているメールを用いて必要とするファイルを取得することができる仕組みを提供する。
【課題を解決するための手段】
【０００５】上記課題を解決する為に、請求項１に記載の発明においては、メール端末（携帯端末含む）から送信されたコマンド付きのメールを受信し、メールに含まれるコマンドを解析し、コマンドに関連付けられた動作を契機として、メール内で指定された１つ以上のファイルまたは１つ以上のディレクトリを、利用者にメールにて送信する仕組みを構成する。【０００６】また、上記課題を解決する為に、請求項２に記載の発明においては、ファイル転送元端末内のファイル一覧またはディレクトリ一覧を利用者にメールにて送信する仕組みを構成する。【０００７】また、上記課題を解決する為に、請求項３に記載の発明においては、１つ以上のファイルまたは１つ以上のディレクトリを圧縮して利用者にメールにて送信する仕組みを構成する。【０００８】また、上記課題を解決する為に、請求項４に記載の発明においては、ディレクトリ構造を圧縮して利用者にメールにて送信する仕組みを構成する。【０００９】また、上記課題を解決する為に、請求項５に記載の発明においては、メールの送信先はコマンド付きのメールを送信した利用者のみならず、コマンド付きのメール内に指定されているメールアドレスに対しても送信できる仕組みを構成する。
【発明の効果】
【００１０】本発明によれば、グローバルＩＰアドレスを必要とせずＦＴＰサーバなども不要な為、複雑な設定や運用を行わずに、メール操作のみで簡単に遠隔地の必要とするファイルを取得することができる。これにより、出張先などでメールが出来る環境があれば、必要なファイルを会社のパソコンから取得することができる。
【発明を実施するための最良の形態】
【００１１】以下、図面を参照して本発明の実施例について説明する。図１は本発明の基本的な構成を示すシステム構成図である。【００１２】本発明は、コマンド付きのメールの送信およびファイル一覧、ファイルを利用者または指定したメールアドレスに送信するメールサーバ８、利用者が用いるメールを送信できるメール端末７（携帯端末含む）、コマンド付きのメールを解析しファイル取得を要求するメール制御部６、メール制御部から要求されたファイル操作を行うファイル制御部５からなる。メール制御部６は、コマンドの内容とファイル制御部５への要求を関連付ける為の情報を関連付け情報３として記憶装置２に格納する。【００１３】以下、本発明の基本的な処理の流れについて説明する。図１は本発明の基本的な構成を示すシステム構成図である。図２は本発明の基本的な処理の流れを示す図である。ここでは、利用者がファイルの一覧の取得から指定したファイルを取得する流れについて示す。なお、ここで示す処理の流れは一例であって、これに限定されるものではない。【００１４】初めに、利用者のメール端末９からメールサーバ１０に対して件名または本文にファイル一覧取得要求コマンドを含むメールをシステム専用のメールアドレス（ファイル送信元端末１１のメールアドレス）に対して送信する。メール制御部１３では、メールサーバ１０に対して一定周期でメールチェックを行い、コマンド付きのメールが届いているかを確認する。【００１５】メール制御部１３においては、関連付け情報１２を基にメールに含まれるコマンドを解析し、ファイル一覧取得要求コマンドである事を判断し、ファイル制御部１４に対して記憶装置内のファイル一覧を検索するための要求を行う。ファイル制御部１４はファイル一覧を生成後、メール制御部１３に対してファイル一覧情報を通知する。メール制御部１３はファイル一覧情報を基にメールを作成し、利用者宛てにメールを送信する。【００１６】次に利用者はメールサーバ１０に対して件名または本文に指定ファイル取得要求コマンドを含むメールをシステム専用のメールアドレス（ファイル送信元端末１１のメールアドレス）に対して送信する。この際に、件名または本文にはメール制御部１３から受信したファイル一覧情報に記載されているファイル名またはファイルＩＤを記載し要求するファイルを指定する。【００１７】メール制御部１３においては、関連付け情報１２を基にメールに含まれるコマンドを解析し、指定ファイル取得要求コマンドである事を判断し、ファイル制御部１４に対して指定ファイルの検索要求を行う。ファイル制御部１４は指定ファイルを確認後、メール制御部に対して指定ファイルを通知する。メール制御部１３は指定ファイルを添付ファイルとして、利用者宛てにメールを送信する。【００１８】利用者はメールサーバ１０から指定ファイルが添付されたメールを受信する。
【図面の簡単な説明】
【００１９】
【図１】本発明のシステムの基本的な構成を示すシステム構成図である。
【図２】本発明の処理の流れを示す図である。
【符号の説明】
【００２０】    １，１１ファイル送信元端末
２記憶装置
３，１２関連付け情報
４，１５コマンド付きのメールにて取得対象となるファイル群
５，１４ファイル制御部
６，１３メール制御部
７，９メール端末
８，１０メールサーバ
【図１】
2005251144.tif 000003
【図２】
2005251144.tif 000004